(57)【要約】【課題】  被験者（患者）の検査部位の紫外線照射量の正確な測定を一回の測定操作で可能とし、併せて測定具の手動操作部を皆無として検査員の紫外線被曝をなくし、安全性を高めることを課題とする。【解決手段】  紫外線照射治療に先立って紫外線の適正照射量を事前に知るための紫外線治療用照射量測定具であって、患者の皮膚に載置し得、紫外線の透過率が互いに異なる既知の値に設定された複数の透過領域を有する減衰フィルタ（１Ａ，１Ｂ，１Ｃ）を備えることを特徴とする。【選択図】  図１
2006000383.tif 000002
【特許請求の範囲】
【請求項１】
紫外線照射治療に先立って紫外線の適正照射量を事前に知るための紫外線治療用照射量測定具であって、
患者の皮膚に載置し得、紫外線の透過率が互いに異なる既知の値に設定された複数の透過領域を有する減衰フィルタを備える
ことを特徴とする紫外線治療用照射量測定具。
【請求項２】
前記減率フィルタは、一端から他端にかけて紫外線の透過率が連続的に減少するように構成されている
ことを特徴とする請求項１に記載の紫外線治療用照射量測定具。
【請求項３】
前記減率フィルタは、一端から他端にかけて紫外線透過率が段階的に減少するように構成されている
ことを特徴とする請求項１に記載の紫外線治療用照射量測定具。
【請求項４】
前記減率フィルタは、基板に配設された複数の窓孔の窓孔列の順に透過率が段階的に減少するように配列されている
ことを特徴とする請求項１に記載の紫外線治療用照射量測定具。
【請求項５】
前記減率フィルタは、紫外線照射ランプと一体的に枠体に取り付けられている請求項１〜４のいずれか１項記載の紫外線治療用照射量測定具。
【請求項６】
前記減率フィルタは、フィルタ素材の濃淡により透過率が可変とされている請求項１〜４のいずれか１項記載の紫外線治療用照射量測定具。
【請求項７】
前記減率フィルタは、石英ガラス等の無反射質の素材からなる基板上に誘電体の層を積層して透過率が可変とされている請求項１〜４のいずれか１項記載の紫外線治療用照射量測定具。
【発明の詳細な説明】
【技術分野】
【０００１】
本発明は紫外線照射治療に先立って紫外線の適正照射量を事前に知るための紫外線治療用照射量測定具に関する。
【背景技術】
【０００２】
皮膚疾患、例えばアトピー性皮膚炎、かん癬、白斑などに対しては紫外線照射治療が有効とされている。
【０００３】
これらの皮膚疾患の治療に用いられる紫外線としては、波長が２８５〜３２０ｎｍのＵＶ−Ｂ波、または３２０〜４００ｎｍのＵＶ−Ａ波のいずれかを医師による選択決定に基づいて照射が行われる。
【０００４】
ところで紫外線は危険な波長域であるため、各波長の紫外線照射は薬剤投与治療と同様に高い意識と注意をはらって行わなければならないことは周知のことである。
【０００５】
また患者には当然個体差があり、光に対し強い肌の人、あるは光に弱い敏感肌の人があるため、紫外線治療に先立って患者の皮膚の性質を予め的確に把握することが重要である。
【０００６】
そのため紫外線照射を開始する前に患者個々のＵＶ−Ａ、ＵＶ−Ｂの各波長に対する耐光量の検査が行われる。ちなみに最少紅斑量（ＭＥＤ）に関してはＵＶ−Ｂ波長で、最少光毒量（ＭＰＤ）に関してはＵＶ−Ａ波長で検査し、その結果に基づいて投与照射量が決定される。
【０００７】
従来、上記検査には紫外線照射量測定具が用いられる。
【０００８】
現在用いられてる上記測定具は、図９（Ａ）に平面図を示すように、片側５個ずつ２列に等大の窓孔ａ１〜ａ５、ａ６〜ａ１０が一定の間隔をおいて穿設された基板ｂと、この基板ｂの片側５個ずつの窓孔ａ１〜ａ５およびａ６〜ａ１０に対応しスライドガイドｃ，ｃにそってスライド操作自在とされたシャッタ板ｄ１，ｄ２とで構成され、一方のシャッタ板ｄ１を一定秒時ごとに窓孔１個宛矢印方向にスライドさせて閉じて行き、片側５個の窓孔ａ１〜ａ５を閉じ終ったのち他側のシャッタ板ｄ２を同様にスライドさせてすべての窓孔を閉じるように構成されている。
【０００９】
上記窓孔ａ１〜ａ１０は通常１辺が１０ｍｍ角の角孔とされ、紫外線を３０秒照射毎にシャッタ板ｄ１，ｄ２を１窓ずつスライド操作される。
【００１０】
検査時には、前記基板ｂを患者の比較的日光を受けていない部位、例えば背中、太もも、腕の内側などに適宜手段で貼着し、次いで基板ｂのすべての窓孔ａ１〜ａ１０に均等に紫外線の照射を行い、一定時間（通常３０ｓｅｃ）ごとに一方のシャッタ板ｄ１をスライドさせて片側の窓孔ａ１〜ａ５を１個単位ずつ順次閉じて行き、片側のすべての窓孔ａ１〜ａ５を閉じきったのち他側のシャッタ板ｄ２を同様にスライドさせて他側の窓孔ａ６〜ａ１０を閉じ終ったとき紫外線の照射を停め、検査を終了する。
【００１１】
次いで基板ｂを皮膚から除去し、その窓孔ａ１〜ａ１０の各位置の皮膚の色調を観察し、ＭＥＤ値、ＭＰＤ値を決定する。
【００１２】
しかるに上記従来の紫外線照射量測定具では、シャッタ板ｄ１，ｄ２をスライドさせて順次窓孔ａ１〜ａ１０を閉じる操作を計時しながら人手により行うので、計時ミスや操作遅れなどによって各窓孔ａ１〜ａ１０を通じての照射量が必ずしも正確にできず、測定が不正確となって適切な検査結果が得難いという問題があった。
【００１３】
またシャッタ板ｄ１，ｄ２のスライド操作を紫外線を照射しながら人手で行うので、検査員が紫外線を被曝するという問題があった。
【００１４】
なかには紫外線照射治療を電話ボックスのようなキャビン型の治療室内に患者を立たせ、または椅子に座らせて全身照射を行う治療方法があるが、このような治療室内で前記測定具を用いて照射量の測定を行うには、シャッタ板ｄ１，ｄ２を一定時間経過ごとに手で操作する必要があることからその都度治療室のドアを開閉して検査員が中に入り、上記操作を行わなければならず、そのため照射量の測定は容易ではなかった。
【００１５】
上記被曝を防ぐ手段としてシャッタ板ｄ１，ｄ２を電動式とし、遠隔操作を行えるようにすることも考えられるが、これによると構造が複雑かつ大掛りとなって勢い高価になるなどの問題をもたらす。
【特許文献１】特開２００４−６５３３０号公報
【発明の開示】
【発明が解決しようとする課題】
【００１６】
本発明は、患者の検査部位の紫外線照射量の正確な測定を可能とすること、および複雑な構造を伴うことなく検査員の被曝を生じることがないとともに、キャビン型の治療室内で測定を行う場合であっても測定途中で治療室内に出入りする必要がなく、短時間で高能率に測定作業を行うことができる紫外線治療用照射量測定具を提供することを課題とする。
【課題を解決するための手段】
【００１７】
上記課題を解決する手段として本発明による測定具は、紫外線照射治療に先立って紫外線の適正照射量を事前に知るための紫外線治療用照射量測定具であって、患者の皮膚に載置し得、紫外線の透過率が互いに異なる既知の値に設定された複数の透過領域を有する減衰フィルタを備えることを特徴とする。
【００１８】
これによって、紫外線の透過率が互いに異なる既知の値に設定された複数の透過領域を通り照射された皮膚の焼灼された程度を比較することにより、一回の測定操作を行うだけで紫外線の適正照射量を事前に知ることが可能になる。
【００１９】
また、前記減率フィルタは、一端から他端にかけて紫外線の透過率が連続的に減少するように構成されていることを特徴とする。
【００２０】
これによって、減率フィルタの全域に均等に紫外線を一定秒時照射すれば、減率フィルタを透過した紫外線が皮膚に到達する。このとき減率フィルタの紫外線透過率が連続的に減少していることにより皮膚はその透過量に応じて変色し、その色調を観察して適正照射量を知ることができる。この場合、減率フィルタの減少率が連続的に変化しているので、微妙な色調変化までとらえることができ、最適照射量を把握することが可能となる。
【００２１】
また、上記測定具を一端から他端にかけて紫外線透過率が段階的に減少する減率フィルタで構成したことにある。
【００２２】
これによれば、減率フィルタの各段階における色調変化を読みとることにより適正照射量を知ることができる。
【００２３】
また、前記減率フィルタは、基板に配設された複数の窓孔の窓孔列の順に透過率が段階的に減少するように配列されていることを特徴とする。
【００２４】
これによれば、各窓孔に対し一斉に紫外線を照射することにより各窓孔の減率フィルタを透過した紫外線が皮膚に到達し、皮膚はその透過量に応じて窓孔別に変色するので、皮膚の色調変化を観察しやすくすることができる。
【００２５】
また、前記減率フィルタは、紫外線照射ランプと一体的に枠体に取り付けられていることを特徴とする。
【００２６】
これによれば、紫外線照射ランプと減衰フィルタとが一体的に枠体に取り付けられているので、コンパクトで持ち運びが容易であり、患者の背中等に紫外線治療用照射量測定具を置くだけで測定が可能になり、狭い居室においても紫外線治療用照射量測定具を使用することができる。
【００２７】
上記減率フィルタは、フィルタ素材の濃淡により透過率を異らせたもの、あるいは石英ガラス等の無反射質の素材からなる基板上に誘電体の層を積層して透過率を異らせたものを用いることができる。
【発明の効果】
【００２８】
本発明によれば、紫外線の透過率が互いに異なる既知の値に設定された複数の透過領域を通り照射された皮膚の焼灼された程度を比較することにより、一回の測定操作を行うだけで紫外線の適正照射量を事前に知ることが可能になる。
【００２９】
また、シャッタ板を手動でスライドさせるような操作が全く不要であるから、計時誤りや操作遅れなどにより紫外線照射量にバラツキを生じることがなく、その結果、正確な照射量の紫外線を皮膚に与えることができ、正確な判定を期することができる。
【００３０】
また測定具に手動操作部が一切存在しないので、検査員が紫外線を被曝するおそれが全くなく、安全性を確保することができるとともに構造を頗る簡単にでき、取り扱いも簡便に行うことができる。
【００３１】
上記に関しては、ＭＥＤ、ＭＰＤのいずれも同様に測定することができる。
【発明を実施するための最良の形態】
【００３２】
図１は本発明による紫外線治療用照射量測定具の一実施形態の平面図を示すもので、一端１ａから他端１ｂにかけて紫外線の透過率が図２に示すように連続的に減少する減率フィルタ１Ａで構成されている。
【００３３】
上記減率フィルタ１Ａの構成としては、図３に模式的断面図を示すように、プラスチック素材に紫外線の透過を妨げる微粒状の物質２を練り込みまたは塗布等により濃淡が付けられたシート状に形成されている。
【００３４】
なお、必要に応じ減率フィルタ１Ａの長手方向一側に、紫外線照射後に紫外線の量を把握しやすくするため所要の目盛を付加することは任意である。
【００３５】
したがって図４に示すような紫外線照射装置３を用い、寝台４上の被検者５（患者）の検査部位に測定具である減率フィルタ１Ａを貼布し、その全域に紫外線が均等に当るよう照射装置３の照射ヘッド６の位置を定めて照射を行えば、減率フィルタ１Ａの濃淡に応じて透過した紫外線が皮膚に照射される。
【００３６】
その結果、減率フィルタ１Ａの透過率に応じ皮膚に変色が生じる。
【００３７】
所定秒時照射後、照射を停止し、次いで皮膚から減率フィルタ１Ａを剥離させ、変色した皮膚の色調を観察することにより最適照射量を把握することができる。
【００３８】
上記紫外線照射に関しては、被検者（患者）を寝かせず、キャビン型の治療室内に立たせた姿勢で行うようにしてもよい。また減率フィルタ１Ａの周辺に紫外線が当ることが懸念される場合は、その周辺を適宜なマスクによりマスキングするようにしてもよい。
【００３９】
図５は本発明による紫外線治療用照射量測定具の他の実施形態を示すもので、シート状素材７の一端から他端にかけて紫外線透過率が段階的に減少する減率フィルタ１Ｂで構成されている。
【００４０】
図５においては、紫外線透過率を５段階１Ｂ１〜１Ｂ５とした場合を示しているが、測定精度を高めるうえで１０段階とするなど、その増減は任意である。
【００４１】
この実施形態においても、シート状素材７を被検者の検査部位に直接貼布し、その減率フィルタ１Ｂの全域に紫外線を均等に照射することにより各減率フィルタ１Ｂ１〜１Ｂ５の紫外線透過量に応じて皮膚が変色し、その後シート状素材７を剥ぎ取った跡の皮膚の色調を観察して最適照射量を判断することができる。
【００４２】
この実施形態における減率フィルタ１Ｂの各部の透過率の設定に関しては、前記図１〜図３に示した濃淡によるほか、図６に説明用として一部の拡大断面図を示すように、石英ガラス等の無反射質の素材からなるベース８上に誘電体層９，９…を積層して、各誘電体層による反射量の大小により紫外線の透過量を異らせるようにしたものなどを用いることができる。
【００４３】
図７は本発明による紫外線治療用照射量測定具のさらに他の実施形態を示すもので、図７（Ａ）は平面図、同（Ｂ）は図７（Ａ）のＢ−Ｂ断面図である。
【００４４】
この実施形態では、複数の窓孔１０１〜１０１０が片側５個ずつ２列に穿設された基板１１と、これら窓孔１０１〜１０１０に設けられる減率フィルタ１Ｃ１〜１Ｃ１０とで構成されている。
【００４５】
前記基板１１は、プラスチックシート、厚紙、その他人体の皮膚に貼付するに適する素材により形成され、窓孔１０１〜１０１０は例えば１０ｍｍ×１０ｍｍ（１ｃｍ２）の角孔として穿設されている。
【００４６】
なお上記窓孔１０１〜１０１０の設置数は測定精度を勘案して適宜増減することができる。
【００４７】
前記減率フィルタ１Ｃ１〜１Ｃ１０は、その符号順に紫外線透過率が段階的に変化するもので、接着等により基板１０に取り付けられている。
【００４８】
上記減率フィルタ１Ｃ１〜１Ｃ１０の構成は、前記図３に示した濃淡によるもの、あるいは図６に示した反射率の違いによるもののいずれであってもよい。
【００４９】
この実施形態によっても、被検者の検査部位に基板１０を貼布し、そのすべての窓孔１０１〜１０１０に対し紫外線が均等に当るように照射を行えば、各窓孔１０１〜１０１０の減率フィルタ１Ｃ１〜１Ｃ１０を通じて被検者の皮膚に照射され、照射終了後基板１１を剥離してその窓孔１０１〜１０１０に対応する部位の皮膚の変色状態を観察することにより適正照射量を把握することができる。
【００５０】
なお前記基板１１に設ける窓孔１０１〜１０１０は角孔に限らず、図８に５個の窓孔のみ示すように丸孔としてもよい。
【００５１】
本発明による測定具を用いれば、ＭＥＤ、ＭＰＤのいずれについても同様にして測定することができる。
【００５２】
図１０は本発明による紫外線治療用照射量測定具のさらに他の実施形態を示すものである。この実施形態では、照射ヘッド６と減衰フィルタ１Ａとが枠体２０によって一体的に取り付けられている。照射ヘッド６は棒状の紫外線照射ランプ２１と、紫外線照射ランプ２１から照射される光線を均一に減衰フィルタ１Ａへ照射するための円筒状のレンズ２２とを有する。また、枠体２０の内側上面には略円筒状の反射面２３が形成されており、紫外線照射ランプ２１から照射され反射面２３で反射された光線も減衰フィルタ１Ａへ照射されるようになっている。紫外線照射ランプ２１は枠体２０内に光学的に密閉されており、紫外光線は減衰フィルタ１Ａを通してしか外部へ漏れないようになっている。また、紫外線照射ランプ２１の照射波長は、枠体２０のソケットにＵＶ−ＡまたはＵＶ−Ｂを付け替えることにより、選択される。なお、減衰フィルタ１Ａの代わりに、減衰フィルタ１Ｂまたは減衰フィルタ１Ｃを枠体２０に取り付けることも可能である。
【００５３】
本実施の形態によれば、減衰フィルタ１Ａを用いることにより、従来のようにシャッタ板を手動でスライドさせるような操作が全く不要であるので、シャッタ板等を考慮する必要がなく、照射ヘッド６と減衰フィルタ１Ａとを枠体２０によって容易に一体化することが可能になる。また、従来のようにシャッタ板を手動でスライドさせるような操作が全く不要であるので、照射ヘッド６と減衰フィルタ１Ａとの内部に操作を加える必要がなく一体的に扱うことが可能になる。
【００５４】
また、照射ヘッド６と減衰フィルタ１Ａとが一体的に形成されているので、コンパクトで持ち運び容易に構成でき、また、患者の背中等に紫外線治療用照射量測定具を置くだけで測定が可能になり、狭い居室においても紫外線治療用照射量測定具を使用することができる。
【００５５】
また、紫外線照射ランプ２１は枠体２０内に光学的に密閉されているので、測定者が不用意に紫外線に照射される恐れをなくすることができる。
【図面の簡単な説明】
【００５６】
【図１】本発明による紫外線治療用照射量測定具の一実施形態を示す平面図。
【図２】図１の測定具の紫外線透過率の変化を示すグラフ。
【図３】図１のＡ−Ａ線模式断面図。
【図４】紫外線照射装置による照射態様の一例を示す説明図。
【図５】本発明による測定具の他の実施形態を示す平面図。
【図６】減率フィルタの他の構成例を示す一部の拡大断面図。
【図７】本発明による測定具のさらに他の実施形態を示し、（Ａ）は平面図、（Ｂ）は（Ａ）のＢ−Ｂ断面図。
【図８】同、変形例を示し、（Ａ）は平面図、（Ｂ）は（Ａ）のＣ−Ｃ断面図。
【図９】従来の紫外線治療用照射量測定具を示し、（Ａ）は平面図、（Ｂ）は（Ａ）のＤ−Ｄ断面図。
【図１０】本発明による紫外線治療用照射量測定具のさらに他の実施形態を示す断面図。
【符号の説明】
【００５７】
１Ａ，１Ｂ，１Ｃ  減率フィルタ
３  紫外線照射装置
５  被検者（患者）
６  照射ヘッド
８  ベース
９  誘電体層
１０  窓孔
１１  基板
２０  枠体
２１  紫外線照射ランプ
２２  レンズ
２３  反射面
【図１】
2006000383.tif 000003
【図２】
2006000383.tif 000004
【図３】
2006000383.tif 000005
【図４】
2006000383.tif 000006
【図５】
2006000383.tif 000007
【図６】
2006000383.tif 000008
【図７】
2006000383.tif 000009
【図８】
2006000383.tif 000010
【図９】
2006000383.tif 000011
【図１０】
2006000383.tif 000012